(57)【要約】【課題】手順が容易であり、成功裏に完了するために多くの人員を必要としない、信頼性の高い組織抽出手法を可能にする。【解決手段】操作者が、医療装置からポンピングシリンジ装置を接続解除することなく、医療装置内の真空を制御し、サンプルを吐出することを可能にするための、例示的なポンピングシリンジ装置。ポンピングシリンジ装置は、シリンジセクションと、シリンジに封止可能に接続する弁セクションと、シリンジセクション及び弁セクションに接続され、医療装置に着脱可能に接続する嵌合金具セクションと、を含む。弁セクションは、２つの動作モードを含む。第１の動作モードは、シリンジセクションと外部環境との間の第１の方向における流体の流れを可能にし、第２の動作モードは、シリンジセクションと外部環境との間の第２の方向における流体の流れを可能にする。【選択図】図１−１
2019030653.tif 000002
【特許請求の範囲】
【請求項１】
ポンピングシリンジ装置であって、
シリンジセクションと、
弁セクションと、
前記シリンジセクション及び前記弁セクションに接続され、医療装置に着脱可能に接続するように構成された嵌合金具セクションと、を備え、
前記弁セクションが、２つの動作モードを含み、第１の動作モードが、前記シリンジセクションと外部環境との間の第１の方向における流体の流れを可能にし、第２の動作モードが、前記シリンジセクションと前記外部環境との間の第２の方向の流体の流れを可能にする、ポンピングシリンジ装置。
【請求項２】
前記第１の方向が、前記外部環境から前記シリンジセクションに至り、前記第２の方向が、前記シリンジセクションから前記外部環境に至る、請求項１に記載の装置。
【請求項３】
前記第１の動作モードが、前記第２の方向における流体の流れを可能にせず、前記第２の動作モードが、前記第１の方向における流体の流れを可能にしない、請求項２に記載の装置。
【請求項４】
前記弁セクションが、
３つのポートを備える第１の接合部と、
第１の一方向弁と、
第２の一方向弁と、
三方向弁と、
コネクタチューブと、を備える、請求項３に記載の装置。
【請求項５】
前記第１の接合部の第１のポートが、前記嵌合金具セクションのポートに封止可能に接続し、前記第１の接合部の第２のポートが、前記コネクタチューブの第１の端部に封止可能に接続し、前記第１の接合部の第３のポートが、前記第１の一方向弁の第１の端部に封止可能に接続し、前記第１の一方向弁の第２の端部が、前記三方向弁の第１のポートに封止可能に接続し、前記コネクタチューブの第２の端部が、前記第２の一方向弁の第１の端部に封止可能に接続し、前記第２の一方向弁の第２の端部が、前記三方向弁の第２のポートに封止可能に接続する、請求項４に記載の装置。
【請求項６】
前記シリンジセクションが、チャンバ内に位置付けられたプランジャを備え、前記チャンバ内の前記プランジャの遠位側が、前記嵌合金具セクション、及び前記弁セクションの少なくとも一部分と流体連通している、請求項１に記載の装置。
【請求項７】
前記嵌合金具セクションが、前記医療装置に着脱可能に接続するための機構を備える、請求項１に記載の装置。
【請求項８】
前記医療装置が、ハンドルを有する針を備え、前記機構が、前記ハンドルの近位端部上にルアーロック構成要素を備える、請求項７に記載の装置。
【発明の詳細な説明】
【技術分野】
【０００１】
本発明は、サンプリング装置の真空支援サンプリング機構に関する
【背景技術】
【０００２】
現在、サンプリング装置、例えば経気管支針吸引（ｔｒａｎｓｂｒｏｎｃｈｉａｌ  ｎｅｅｄｌｅ  ａｓｐｉｒａｔｉｏｎ、ＴＢＮＡ）は、サンプル収集を支援するために使用されるスタイレットを含む。針による穿刺の後には、針内部のスタイレットが引き戻され、これは、減圧を生じさせることにより組織を針の中へ引き込むのを補助することができる。
【０００３】
他のサンプリング手法としては、組織を針の先端部に「詰める」ために、針による往復手法を適用することが挙げられる。
【０００４】
これらの方法は、ごくわずかな真空しか組織に適用せず、したがって、信頼性の高い組織抽出手法でない。
【０００５】
別の手法は、真空シリンジを使用する。穿刺の後に、真空がシリンジ内に引き込まれ、針の内部に適用される。これは、組織を内部に引き上げるのを補助する。しかし、いったんシリンジが完全に引き込められると、それ以上真空作用を生じさせることができない。例えば、多くの流体がある場合は、流体が最初に引き込まれ、（非流体の）組織に適用される真空を低減させる。
【０００６】
また、吸引の後に、組織が針の内部に固着する場合がある。スタイレットを使用して、組織を押し出すことができ、又はオペレータが空気源を使用していくらかの空気を注入することができる。しかしながら、スタイレットは、サンプルに損傷を与える場合があり、空気源を取り付けることは、手順をより困難にし、成功裏に完了するためにより多くの人員を必要とすることになる。
【発明の概要】
【課題を解決するための手段】
【０００７】
本発明は、操作者が、使用する装置を接続解除して他の支持装置を接続することなく、適用された真空を制御し、サンプルを吐出することを可能にする、ポンピングシリンジ装置を提供する。
【０００８】
例示的なポンピングシリンジ装置は、シリンジセクションと、シリンジに封止可能に接続するように構成された弁セクションと、シリンジセクション及び弁セクションに接続され、医療装置（例えば、針ハンドル）に着脱可能に接続するように構成された嵌合金具セクションと、を含む。弁セクションは、２つの異なるモードで動作することができる。第１の動作モードは、シリンジセクションと外部環境との間の第１の方向における流体の流れを可能にし、第２の方向においては可能にしない。第２の動作モードは、シリンジセクションと外部環境との間の第２の方向における流体の流れを可能にし、第１の方向においては可能にしない。
【０００９】
本発明の一態様において、第１の方向は、外部環境から始まってシリンジセクションに進み、第２の方向は、シリンジセクションから始まって外部環境に進む。
【００１０】
本発明の別の態様において、弁セクションは、３つのポートを有する第１の接合部と、第１の一方向弁と、第２の一方向弁と、三方向弁と、コネクタチューブと、を含む。第１の接合部の第１のポートは、シリンジセクションの第１のポートに封止可能に接続する。第１の接合部の第２のポートは、コネクタチューブの第１の端部に封止可能に接続する。第１の接合部の第３のポートは、第１の一方向弁の第１の端部に封止可能に接続する。第１の一方向弁の第２の端部は、三方向弁の第１のポートに封止可能に接続する。コネクタチューブの第２の端部は、第２の一方向弁の第１の端部に封止可能に接続する。第２の一方向弁の第２の端部は、三方向弁の第２のポートに封止可能に接続する。
【００１１】
本発明の更に別の態様において、シリンジセクションは、チャンバ内に位置付けられたプランジャを含む。チャンバ内のプランジャの遠位側は、嵌合金具セクション、及び弁セクションの少なくとも一部分と流体連通している。
【００１２】
本発明の更に別の態様において、嵌合金具セクションは、医療装置に着脱可能に接続するための機構を含む。医療装置は、針装置を含み、機構は、ルアーロック構成要素を含む。
【００１３】
針上を往復させる代わりに、操作者は、針を適所に残し、組織を内部にポンピングすることができる。装置の各ポンプは、真空を増加させるか、又はより多くの真空圧力を適用する。そのため、ポンプ上でのサイクルをより高速かつより多くするほど、より多くの組織が針の中へ導入される。操作者は、ポンピングの数又はポンピングの速度によって、どのくらい多く、又は少なく真空を発生させるのかを制御する。
【００１４】
同様に、この装置は、逆に使用することができ、この装置を使用して、針の先端部から外にサンプルをポンピングすることができる。操作者は、現行の方法のようにシリンジ内の真空のみに依存するのではなく、漸増的、系統的、かつ緩やかにサンプルを引き込み、排出する能力を有する。
【００１５】
更なる特徴、利点、及び適用分野は、本明細書に提供される説明から明らかになるであろう。説明及び具体的な例は、単に例示目的のために意図され、本開示の範囲を限定することを意図されないことを理解されたい。
【００１６】
本明細書に説明される図面は、単に例示目的のためであり、決して本開示の範囲を制限することを意図されない。図面における構成要素は、必ずしも一定の縮尺ではなく、本発明の原理を例示することに重点を置かれる。
【図面の簡単な説明】
【００１７】
【図１−１】本発明の一実施形態に従って形成されたポンピングシリンジ装置の側面図である。
【図１−２】図１−１のポンピングシリンジ装置に接続可能である、従来技術の医療装置を示す図である。
【図２】図１−２の医療装置に接続された図１−１の装置を示す図である。
【図３】第１の動作モードにおける図１−１の装置を示す図である。
【図４】第２の動作モードにおける図１−１の装置を示す図である。
【発明を実施するための形態】
【００１８】
１つの実施形態において、図１−１に示されるように、ポンピングシリンジシステム１０は、シリンジ１２と、弁セクション１４と、コネクタ１６と、を含み、これらは全て、接続部嵌合金具１８に接続される。シリンジ１２及びコネクタ１６は、それらが長手方向軸を共有するように、接続部嵌合金具１８に接続される。弁セクション１４は、シリンジ１２及びコネクタ１６の長手方向軸からいくらかの角度で、接続部嵌合金具１８に接続する。構成要素の１つ以上は、不定形材料で形成することができる。これらの構成要素の間では、他の軸共有（整列）構成を使用することができる。
【００１９】
ポンピングシリンジシステム１０は、コネクタ１６を介して、針ハンドル２０（図１−２）又はスコープ（例えば、気管支鏡）などの、任意の数の医療装置に接続することができる。１つの実施形態において、図２に示されるように、コネクタ１６は、針ハンドル２０の近位端部に取り付けるためのねじ付き特徴部５０（例えば、ルアー嵌合金具）を含む、内部空洞を含む。
【００２０】
弁セクション１４は、三方向弁６０と、第１の一方向弁６２と、第２の一方向弁６４と、Ｔ字形嵌合金具６６と、及び可撓性コネクタチューブ６８と、を含む。Ｔ字形嵌合金具６６は、第１のポート及び第２のポートによって共有される長手方向長軸と、第３のポートのための長手方向短軸と、を含む。第１のポートは、接続部嵌合金具１８に封止可能に取り付けられる。可撓性コネクタチューブ６８の第１の端部は、第３のポートに封止可能に取り付けられる。第１の一方向弁６２の第１の端部は、第２のポートに封止可能に取り付けられる。
【００２１】
第１の一方向弁６２の第２の端部は、三方向弁６０の第１のポートに封止可能に接続される。第２の一方向弁６４の第１の端部は、可撓性コネクタチューブ６８の第２の端部に封止可能に接続される。第２の一方向弁６４の第２の端部は、三方向弁６０の第２のポートに封止可能に接続される。三方向弁６０の第３のポートは、接続を持たず、周囲環境への直接アクセスを有する。構成要素間には、他の軸構成接続を適用することができる。
【００２２】
三方向弁６０は、少なくとも２つの位置に配置することができる弁ノブ７０を含む。第１の位置は、三方向弁６０の第３のポートを三方向弁６０の第１のポートと流体連通させる。第２の位置は、三方向弁６０の第３のポートを三方向弁６０の第２のポートと流体連通させる。
【００２３】
ポンピングシリンジシステム１０の吸引動作モードにおいて、図３に示されるように、操作者がシリンジ１２のプランジャを引き込め始める前に、弁ノブ７０は、第２の位置に配置される。三方向弁６０の第２及び第３のポートは、流体接続している。第２の一方向弁６４は、空気又は流体が三方向弁６０に向かって通過することだけを可能にし、一方で、三方向弁６０と可撓性コネクタチューブ６８との間の空気又は流体を遮断する。この構成では、シリンジ１２の操作者がシリンジのプランジャを近位方向に（すなわち、図３の左側に）引っ張る間、針装置２０に接続されたシリンジ１２が、針装置２０の遠位端部において真空を生じさせる。ポンピング作用を行うために、操作者は、プランジャを引き込めさせた後に、プランジャを遠位方向に押し出し、したがって、空気を、接続部嵌合金具１８、Ｔ字形嵌合金具６６、可撓性コネクタチューブ６８、第２の一方向弁６４、次いで、三方向弁６０の中へ通し、そして、三方向弁６０の第３のポートから外へ吐出させる。上記の過程は、繰り返すことができ、したがって、取り付けられた装置の遠位端部における繰り返し可能な真空の適用を可能にする。
【００２４】
ポンピングシリンジシステム１０の第２の動作モードにおいて、図４に示されるように、操作者が吐出（すなわち、シリンジ１２のプランジャの遠位移動）を始める前に、弁ノブ７０は、第１の位置に配置される。三方向弁６０の第１及び第３のポートは、流体接続している。第１の一方向弁６２は、空気又は流体が三方向弁６０から接続部嵌合金具１８まで通過することだけを可能にする。これは、操作者が、針装置２０の遠位端部において真空を引き込むことなく、弁セクション１４からシリンジ１２のチャンバの中へ空気を引き込むことを可能にする。操作者がプランジャに遠位方向に（図４の右側に）押し出すときに、シリンジ１２のチャンバ内の空気は、接続部嵌合金具１８を通して、針装置２０の中へ押し出される。これは、針装置２０の遠位端部において空気圧力による力を生じさせ、針の遠位端部４０内で以前に受容した任意の組織又は他の材料の吐出を生じさせる。
【００２５】
１つの実施形態において、弁セクション１４は、逆転弁又は二方向逆止弁（図示せず）と置き換えることができる。逆転弁又は二方向逆止弁は、弁の機能方向を制御するためのスイッチを含む。
【００２６】
Ａ．ポンピングシリンジ装置であって、シリンジセクションと、弁セクションと、シリンジセクション及び弁セクションに接続され、医療装置に着脱可能に接続するように構成された嵌合金具セクションと、を備え、弁セクションが、２つの動作モードを含み、第１の動作モードが、シリンジセクションと外部環境との間の第１の方向における流体の流れを可能にし、第２の動作モードが、シリンジセクションと外部環境との間の第２の方向の流体の流れを可能にする、ポンピングシリンジ装置。
【００２７】
Ｂ．第１の方向が、外部環境からシリンジセクションに至り、第２の方向が、シリンジセクションから外部環境に至る、項Ｂに記載の装置。
【００２８】
Ｃ．第１の動作モードが、第２の方向における流体の流れを可能にせず、第２の動作モードが、第１の方向における流体の流れを可能にしない、項Ｂに記載の装置。
【００２９】
Ｄ．弁セクションが、３つのポートを備える第１の接合部と、第１の一方向弁と、第２の一方向弁と、三方向弁と、コネクタチューブと、を備える、項Ｃに記載の装置。
【００３０】
Ｅ．第１の接合部の第１のポートを、嵌合金具セクションのポートに封止可能に接続し、第１の接合部の第２のポートを、コネクタチューブの第１の端部に封止可能に接続し、第１の接合部の第３のポートを、第１の一方向弁の第１の端部に封止可能に接続し、第１の一方向弁の第２の端部を、三方向弁の第１のポートに封止可能に接続し、コネクタチューブの第２の端部を、第２の一方向弁の第１の端部に封止可能に接続し、第２の一方向弁の第２の端部を、三方向弁の第２のポートに封止可能に接続する、項Ｄに記載の装置。
【００３１】
Ｆ．シリンジセクションが、チャンバ内に位置付けられたプランジャを備え、チャンバ内のプランジャの遠位側が、嵌合金具セクション、及び弁セクションの少なくとも一部分と流体連通している、項Ａに記載の装置。
【００３２】
Ｇ．嵌合金具セクションが、医療装置に着脱可能に接続するための機構を備える、項Ａに記載の装置。
【００３３】
Ｈ．医療装置が、ハンドルを有する針を備え、機構が、ハンドルの近位端部上にルアーロック構成要素を備える、項Ｇに記載の装置。
【００３４】
本発明の説明は、本質的に単に例示的なものであり、本発明の主旨から逸脱しない変形が、本発明の範囲内にあることを意図される。かかる変形は、本発明の趣旨及び範囲から逸脱するものとしてみなされない。
【００３５】
これまで、本発明の好ましい実施形態を説明してきたが、本発明は、これらの実施形態に限定されない。本発明の趣旨又は範囲を逸脱することなく、追加、省略、置換、及び他の修正を行うことができる。
【００３６】
加えて、本発明は、上の説明によって限定されるものではなく、添付の特許請求の範囲に記載の範囲によってのみ限定される。
【符号の説明】
【００３７】
１０          ポンピングシリンジシステム
１２          シリンジ
１４          弁セクション
１６          コネクタ
１８          接続部嵌合金具
２０          針ハンドル２０
５０          ねじ付き特徴部５０
６０          三方向弁
６２          第１の一方向弁
６４          第２の一方向弁
６６          Ｔ字形嵌合金具
６８          可撓性コネクタチューブ
７０          弁ノブ
【図１−１】
2019030653.tif 000003
【図１−２】
2019030653.tif 000004
【図２】
2019030653.tif 000005
【図３】
2019030653.tif 000006
【図４】
2019030653.tif 000007
【外国語明細書】
2019030653000001.pdf